(57)【特許請求の範囲】
【請求項１】
フレームに、可動のピストンを備えたシリンダの力によりプレス台に向かって直線運動で閉じるパンチを有するプレス機械を用いた変形加工方法において、
前記プレス機械（１）の閉鎖時に、最初に前記ピストン（９）が少なくとも１つのトグルレバーシステム（１０，１１）に作用し、該トグルレバーシステム（１０，１１）が、前記ピストン（９）の運動方向に伸びかつ前記フレームに直線的に支持され、前記ピストン（９）に接続された、前記トグルレバーシステム（１０，１１）の接続レバー（４６）がセルフロックされると、前記パンチ（６）の１つの２ボックス型の液圧式クッション（１４）が閉鎖過程を終了させることを特徴とする、変形加工方法。
【請求項２】
前記プレス機械（１）の閉鎖時に、最初は前記液圧式クッション（１４）は延伸させられており、ワーク（９５）にぶつかると前記液圧式クッション（１４）は引っ込められ、前記少なくとも１つのトグルレバーシステム（１０，１１）が伸びた後で再び延伸した前記液圧式クッション（１４）が、変形加工過程を終了させる、請求項１記載の方法。
【請求項３】
フレームに、可動のピストンを備えたシリンダの力によりプレス台に向かって直線運動で閉じるパンチを有するプレス機械において、
前記パンチ（６）は、少なくとも２つの同様に形成されたトグルレバーシステム（１０，１１）を介して前記フレームに固定的に結合されており、
前記トグルレバーシステム（１０，１１）の接続レバー（４６）は、ピストン（９）の下面側で旋回し、前記トグルレバーシステム（１０，１１）が伸ばされた場合に、下面（５１）に当接することによりロックし、
前記パンチ（６）は１つの２ボックス型の液圧式クッション（１４）を有していることを特徴とする、プレス機械。
【請求項４】
１つのトグルレバーシステム（１０）は、第１の端部（１６）において第１の回転軸（１７）を介して前記パンチ（６）に結合された１つのレバー（１５）を有しており、該レバー（１５）の第２の端部（２３）には、Ｔ字形のトグルレバー（２５）が、一貫して延びる脚部（２９）の一方の端部において、第２の回転軸（３５）を介して結合されており、前記一貫して延びる脚部（２９）の他方の端部は、第３の回転軸（３９）を介して、前記フレームに固定された支持部（３８）に結合されており、３つの前記回転軸（１７，３５，３９）は、当該プレス機械（１）の閉鎖状態では前記パンチ（６）の運動方向に見て一線上に位置しており、前記トグルレバー（２５）の分岐脚部（４０）の自由端部は、第４の回転軸（４６）を介して前記接続レバー（４６）の一方の端部に接続されており、前記接続レバー（４６）の他方の端部は、第５の回転軸（５０）を介して前記ピストン（９）に接続されている、請求項３記載のプレス機械。
【請求項５】
前記プレス台の上方の前記支持部（３８）の高さは調節可能である、請求項４記載のプレス機械。
【請求項６】
前記支持部（３８，８５）は、前記パンチ（６）の運動方向に延在するねじ山付きスピンドル（８７，８８）の自由端部に配置されている、請求項４または５記載のプレス機械。
【請求項７】
少なくとも３つのトグルレバーシステムが、前記トグルレバーの内向きの前記分岐脚部でもって、前記パンチの上方中央の円軌道上に均等に分散されて配置されており、前記トグルレバーの前記自由端部は、前記ピストンに固定された共通のプラットホームに前記接続レバーを介して結合されている、請求項４から６までのいずれか１項記載のプレス機械。
【請求項８】
前記トグルレバー（２５，７９）のそれぞれ相対する前記分岐脚部（４０，８１）を備えて前記パンチ（６）の上方に配置された、少なくとも２つのトグルレバーシステム（１０，１１）が設けられており、前記トグルレバー（２５，７９）の前記分岐脚部（４０，８１）の前記自由端部は、前記ピストンに固定された共通のプラットホーム（４９）に前記接続レバー（４６）を介して結合されている、請求項４から７までのいずれか１項記載のプレス機械。
【請求項９】
前記プラットホーム（４９）の下面からは複数のウェブ（４８，５２）が突出しており、これらのウェブ（４８，５２）には前記接続レバー（４６）が回動可能に接続されている、請求項７または８記載のプレス機械。
【請求項１０】
結合されるべき第１の構成部材（レバー１５）が、横断面で見て部分的にＵ字形の第２の構成部材（トグルレバー２５）の２つの舌片（２７，２８）により囲まれ、両前記構成部材が、それぞれ整合する孔（２６，３０，３１）に挿入された回転軸（３５）としてのピンにより結合されていることに基づき、前記レバーと、前記支持部および／または前記ウェブとの間の結合部は、鉗子状に形成されている、請求項９記載のプレス機械。
【請求項１１】
前記第１の構成部材（レバー１５）の一方の端部が薄くされてピン（３２）を形成していると共に丸み部（６３）を有しており、薄くしたことにより前記ピン（３２）に対して垂直な２つの平面（５７，５８）が形成され、これらの平面（５７，５８）に、当該プレス機械（１）の閉鎖状態で前記第２の構成部材（トグルレバー２５）の丸み部（５９，６０）を有する前記舌片（２７，２８）の端面（５５，５６）が載置され、当該プレス機械（１）の開放または閉鎖、ひいてはこれに関連した各前記構成部材相互の変位に際して、前記舌片（２７，２８）の前記丸み部（５９，６０）は前記平面（５７，５８）上で摺接転動し、前記ピン（３２）の前記丸み部（６３）はそれぞれ、前記舌片（２７，２８）により形成された溝底部（６２）において摺接転動し、かつ／または前記丸み部は、ピストンに固定された面またはパンチに固定された面において摺接転動する、請求項１０記載のプレス機械。
【発明の詳細な説明】
【技術分野】
【０００１】
本発明は、変形加工方法、特に熱間変形加工方法、ならびにフレームに、可動のピストンを備えたシリンダの力によりプレス台に向かって直線運動で閉じるパンチが設けられているプレス機械に関する。
【０００２】
プレス機械は多様な構成形式で知られていると共に、有利であることが判っている。特に液圧式に作動するプレス機械は、広範な用途を有している。これに対して機械式に作動するプレス機械は、特別な性質を有していることが多い。よって機械式に作動するトグルレバー式プレス機械は大抵、印刷でしか、または果物プレス機械としてしか使用されない。
【０００３】
ただし、液圧系と機械的なトグルレバー式プレス機械との混合型も、例えば独国特許出願公開第１０２０１１０５５６３０号明細書（DE 10 2011 055 630 A1）から十分に公知である。
【０００４】
多数のプレス機械の種類が知られているにもかかわらず、変形加工技術、特に熱間変形加工技術には、迅速に閉じ、このために必要な高い圧力をも形成することのできるプレス機械が提供されねばならない、という要求が存在する。
【０００５】
この技術的な課題は、フレームに、可動のピストンを備えたシリンダの力によりプレス台に向かって直線運動で閉じるパンチを有するプレス機械を用いた変形加工方法において、請求項１に記載したように、プレス機械の閉鎖時に、最初にピストンが少なくとも１つのトグルレバーシステムに作用し、このトグルレバーシステムが、ピストンの運動方向に伸びかつフレームに直線的に支持されると、パンチの液圧式クッションが閉鎖過程を終了させる、という手段により解決される。
【０００６】
本発明による変形加工方法は、ワークの変形加工を２つの変形加工部分に分割したことに基づく複数の利点を有している。つまり、シリンダの力を少なくとも１つのトグルレバーシステムに伝達することにより、プレス機械の迅速な閉鎖過程が導入されるようになっている。トグルレバーシステムが伸ばされ、かつパンチをフレームに支持することができるようになると、パンチの液圧式クッションにより大きな力が発揮されて、変形加工過程が終了させられる。
【０００７】
別の利点は、プレス機械の閉鎖時に、最初は液圧式クッションは延伸させられており、ワークにぶつかると液圧式クッションは引っ込められ、少なくとも１つのトグルレバーシステムが伸びた後で再び延伸した液圧式クッションが、変形加工過程を終了させる、という手段から得られる。
【０００８】
液圧式クッションがワークにぶつかると、圧媒液が液圧式クッションのシリンダから押し退けられ、この場合は少なくとも１つのトグルレバーシステムが伸びた後に、少量の圧媒液だけを液圧式クッションに供給することしか、必要としない。
【０００９】
特にこの方法に適した、冒頭で述べた形式のプレス機械では、請求項３の記載に基づき、パンチが少なくとも２つの同様に形成されたトグルレバーシステムを介してフレームに固定的に結合されており、パンチが液圧式クッションを有していると、複数の利点が実現されることになる。
【００１０】
同様に、本発明によるプレス機械は、複数の利点を有している。
【００１１】
急速行程ピストンを使用すると、トグルレバーシステムの最初の閉鎖速度は８００ｍｍ／ｓ〜９００ｍｍ／ｓに達し得る。さらに、シリンダの制御は単一に保たれていてよい。それというのも、トグルレバーは並列接続されており、トグルレバーシステムの十分な寸法設定もしくは十分な数に基づいて、プレス過程に際する変形が概ね排除され得るからである。同様に、トグルレバーの配置および／または数に基づき、パンチにわたって極めて均一な圧力が形成され得る。
【００１２】
トグルレバーシステムが伸ばされ、ひいてはその延在部において大きな力をプレス機械のフレームに伝達することができるようになると、ワークの最終的な変形加工が液圧式クッションの延伸に基づき行われ、このために液圧式クッションは、課題に合わせて例えば６つの液圧シリンダを有していてよい。
【００１３】
構造的な構成において想定されているのは、１つのトグルレバーシステムは、第１の端部において第１の回転軸を介してパンチに結合された１つのレバーを有しており、このレバーの第２の端部には、Ｔ字形のトグルレバーが一貫して延びる脚部の一方の端部において、第２の回転軸を介して結合されており、一貫して延びる脚部の他方の端部は、第３の回転軸を介して、フレームに固定された支持部に結合されており、この場合、３つの回転軸は、プレス機械の閉鎖状態ではパンチの運動方向に見て一線上に位置しており、トグルレバーの分岐脚部の自由端部は、第４の回転軸を介して接続レバーの一方の端部に接続されており、接続レバーの他方の端部は、第５の回転軸を介してピストンに接続されている点である。
【００１４】
さらに、プレス台の上方の支持部の高さが調節可能であると有利である、ということが判った。相応に形成された長いシリンダもしくはこのシリンダが高さ調節可能であることに関連して、様々な寸法のワークおよび型に対する簡単な適合が可能にされている。
【００１５】
改良においては、支持部が、特に台形ねじ山を備えた、パンチの運動方向に延在するねじ山付きスピンドルの自由端部に配置されている、ということが想定されていてよい。この場合、ねじ山付きスピンドルは、例えば２つのスタンドを結合しているフレームの上部帯材に、スピンドルナットにおいて高さ調節可能に固定されていると共に、例えばモータにより調節され得る。この場合は液圧式のロックが高さ調節を保障することができるようになっている。
【００１６】
トグルレバーシステムの幾何学形状は、まず第一にプレス機械の迅速な閉鎖に合わせられている。よって、第１の回転軸と第２の回転軸との間の間隔、および第２の回転軸と第３の回転軸との間の間隔は等しい、ということが想定されている。これにより、これらのレバー区分は、プレス機械が開くと二等辺三角形を形成することになる。これに相応して、プレス機械が閉じる際にも均等な荷重が生じるようになっている。
【００１７】
第２の回転軸と第４の回転軸とが、第３の回転軸を中心とした円軌道上に配置されている、という手段も、この目的に適うものであってよい。
【００１８】
トグルレバーシステムにより、パンチの液圧式クッションに均等に荷重をかけるためには、少なくとも３つのトグルレバーシステムがトグルレバーの内向きの分岐脚部でもって、場合により横断面円形の液圧式クッションの上方中央の円軌道上に均等に分散されて配置されており、トグルレバーの自由端部は、ピストンに固定された共通のプラットホームに接続レバーを介して結合されている、ということが想定されていてよい。
【００１９】
好適には、トグルレバーのそれぞれ相対する分岐脚部を備えてパンチの上方に配置された、少なくとも２つのトグルレバーシステムが設けられており、トグルレバーの分岐脚部の自由端部は、ピストンに固定された共通のプラットホームに接続レバーを介して結合されている。４つのトグルレバーシステムが想定されている場合、これらのトグルレバーシステムは、相並んで延在する２つの対で配置されることになる。
【００２０】
このような配置形式は、比較的大型の矩形の液圧式クッションにおいて用いられ、この場合、トグルレバーシステムは、液圧式クッションの角隅部に作用することになる。
【００２１】
トグルレバーシステムの配置形式に関係無く、プラットホームの下面からは複数のウェブが突出しており、これらのウェブには接続レバーが回動可能に接続されている、ということが想定されている。
【００２２】
トグルレバーが円形に配置されている場合には、ウェブは放射状に延びると共に、プラットホームの中心で交差する。４つのトグルレバーの場合には、２つの平行なウェブが設けられる。
【００２３】
さらに、伝達されるべき大きな力に関しては、レバーを２アームレバーにより形成する、ということが想定されていてよい。ただし好適には、結合されるべき第１の構成部材が、横断面で見て部分的にＵ字形の第２の構成部材の２つの舌片により囲まれ、両構成部材が、それぞれ整合する孔に挿入された回転軸としてのピンにより結合されていることに基づき、レバーと、支持部および／またはウェブとの間の結合部は、鉗子状に形成されている。
【００２４】
この場合、別の構造的な構成では、第１の構成部材の一方の端部が薄くされてピンを形成していると共に丸み部を有しており、薄くしたことによりピンに対して垂直な２つの平面が形成され、これらの平面に、プレス機械の閉鎖状態で第２の構成部材の丸み部を有する舌片の端面が載置され、プレス機械の開放または閉鎖、ひいてはこれに関連した各構成部材相互の変位に際して、舌片の丸み部は平面上で摺接転動し、ピンの丸み部はそれぞれ、舌片により形成された溝底部において摺接転動し、かつ／または丸み部は、ピストンに固定された面またはパンチに固定された面において摺接転動することが可能である。
【００２５】
このことは、プレス機械閉鎖時の力伝達が、軸を介して行われるのみならず、レバー相互の直接的な支持部を介しても行われる、という利点を有している。
【００２６】
本発明を、単に１つの実施例だけが概略的に図示されているに過ぎない図面に基づいて、より詳しく説明する。
【図面の簡単な説明】
【００２７】
【図１】本発明によるプレス機械の正面図である。
【図２】本発明によるプレス機械の側面図である。
【図３】本発明によるプレス機械を上から見た図である。
【図４】本発明によるプレス機械の等角投影図である。
【図５】個別化されたレバーの正面図である。
【図６】個別化されたレバーの側面図である。
【図７】個別化されたレバーの等角投影図である。
【図８】トグルレバーの等角投影図である。
【図９】トグルレバーの正面図である。
【図１０】トグルレバーの側面図である。
【図１１】変位されたトグルレバーシステムの正面図である。
【図１２】プラットホームを上から見た図である。
【図１３】プラットホームの第１の側面図である。
【図１４】プラットホームの第２の側面図である。
【図１５】開かれたプレス機械の正面図である。
【図１６】プレス機械の閉鎖時に、ワークに上型がぶつかったところを示す図である。
【図１７】ロックされたトグルレバーシステムと、引っ込められた液圧式クッションのインナボックスとを備えたプレス機械を示す図である。
【図１８】変形加工過程終了後のプレス機械状態を示す図である。
【図１９】液圧式クッションの側面図である。
【図２０】液圧式クッションを上から見た図である。
【図２１】液圧式クッションの端面図である。
【図２２】液圧式クッションの等角投影図である。
【図２３】液圧式クッションが最下位にあるときの正面図である。
【図２４】液圧式クッションが最上位にあるときの正面図である。
【図２５】上部帯材に対するねじ山付きスピンドルの接続部を概略的に示す図である。
【図２６】トグルレバーシステムを部分的に示す図である。
【００２８】
図１〜図３には、本発明によるプレス機械１を３つの側から見た図が示されている。このプレス機械１自体は、２つのスタンド２，３と、これらのスタンド２，３を結合する、プレス機械フレームの上部帯材４とを備える一般的な門形構成形式である。
【００２９】
図１に示す、プレス機械１の閉鎖状態では、パンチ６の上型５がプレス台の下型７に向かって移動させられている。パンチ６の作動用に、上部帯材４内に固定された液圧シリンダ８が設けられており、液圧シリンダ８のピストン９が、ここでは同様に形成された４つのトグルレバーシステム１０，１１に作用する（図１５〜図１８参照）。
【００３０】
シリンダ８として、好適には極めて急速な行程運動用に設計された、比較的長い複動式シリンダが使用され、これにより、特にワークを熱間変形加工するために、トグルレバーシステム１０，１１を介して型５，７を迅速に閉鎖することができるようになっている。
【００３１】
パンチ６はさらに、２ボックス型の液圧式クッション１４を有しており、液圧式クッション１４の下面には、上型５が固定されている。図１には、延伸させられた液圧式クッション１４が示されており、よって上型５はその最下位に位置している。
【００３２】
各トグルレバーシステム１０，１１は、第１のレバー１５を有しており、第１のレバー１５は、第１のここでは下端部１６において、回転軸１７を介して、パンチ６の液圧式クッション１４に接続されている。
【００３３】
このためにはレバー１５の第１の端部１６がＵ字形の横断面になっていて（図５〜図７参照）、それぞれ整合する孔２０，２１を備えた２つの舌片１８，１９が、液圧式クッション１４の上面から突出している、より大きな孔を有するピン２２を囲むことができるようになっており、これにより、回転軸１７として挿入されるピンを介して結合され得るようになっている（図１１参照）。
【００３４】
レバー１５の第２の端部２３を、図８〜１０に示すトグルレバー２５と結合するために、この端部２３は図６に示す側から見ると薄くされてピン３２を形成していると共に、孔２６を有している。ピン３２は、トグルレバー２５の一貫して延びる脚部２９の２つの舌片２７，２８により囲まれ、これらの舌片２７，２８もやはり、それぞれ整合する孔３０，３１を有している。整合する各孔２６，３０，３１に回転軸３５として挿入されるピンにより、レバー１５とトグルレバー２５とは互いに枢着結合される。
【００３５】
フレームに固定的に接続するために、トグルレバー２５の一貫して延びる脚部２９の他方の端部３４もやはり薄くされてピン３６を形成していると共に、孔３７を有している。ピン３６は、支持部３８の、それぞれ整合する孔を備えた２つの舌片により囲まれ、回転軸３９としてのピンを介して結合が行われる。
【００３６】
トグルレバー２５の分岐脚部４０により、それぞれ整合する孔４３，４４を有する２つの舌片４１，４２が形成される。これらの舌片４１，４２は、対応する孔を有する接続レバー４６のピン４５を囲んでおり、回転軸４７としてのピンを介して枢着結合が行われる。
【００３７】
トグルレバー２５の分岐脚部４０に接続された接続レバー４６も、やはり上述したように２つの舌片でもってペンチ状又は鉗子状に、ピストンに固定されたプラットホーム４９の下面から突出しているウェブ４８を挟んでおり、このウェブ４８と、回転軸５０としてのピンを介して旋回可能に結合されている。
【００３８】
本実施例では、液圧式クッション１４の上方に、トグルレバー２５の相対する分岐脚部４０でもって対を成して配置された４つのトグルレバーシステム１０，１１が設けられているため、共通のプラットホーム４９（図１２〜図１４に再度図示）は、下面５１から突出する２つの平行なウェブ４８，５２を有している。
【００３９】
複数のトグルレバーシステムが、トグルレバーの内向きの分岐脚部でもって、液圧式クッションの上方中央の円軌道上に均等に分散されて配置されている場合には、プラットホームの下面側で、複数のウェブが中心点において交差することになる。
【００４０】
ピストン９と液圧式クッション１４との間の力伝達は、専ら回転軸１７，３５，３９，４７，５０を介して行われるだけでなく、特に図１１には、レバー１５，２５，４６の各接続部が、端部側で正確に嵌合するように互いに合わされていることが示されている。
【００４１】
つまり例えば、トグルレバー２５の舌片２７，２８の端面５５，５６は、レバー１５の端面側の、ピン３２に対して垂直な平面５７，５８に支持されている。図１に示した、閉じられた型５，７の位置から型開きのために旋回され得るようにするためには、舌片２７，２８の角隅部に、旋回時にレバー１５の平面５７，５８上で摺接転動する丸み部５９，６０が設けられている。
【００４２】
他方では、レバー１５の上端部２３における端面６１は、トグルレバー２５の舌片２７，２８の間の溝底部６２に支持されており、端面６１は旋回用に、溝底部６２上で摺接転動する丸み部６３を備えている。
【００４３】
支持部３８もしくは接続レバー４６に対するトグルレバー２５の結合も、同様に行われる。
【００４４】
同様のことが、ピン２２に対するレバー１５の下端部１６の結合についても当てはまる。舌片１８，１９の端面６４，６５は、対応するように形成された液圧式クッション１４の面６６に支持されており、変向時には丸み部６７，６８に基づき、そこで摺接転動することができるようになっている。
【００４５】
同じことが、ウェブ４８に対する接続レバー４６の結合についても当てはまる。回転軸５０を中心とした接続レバーの旋回を可能にする、舌片の端面の丸み部が、プラットホーム４９の下面５１において摺接転動するようになっている。
【００４６】
説明した結合形式はさらに、セルフロック式である、という利点を有している。伸ばされたレバーの配置（図１に図示）を越えてレバーをさらに変位させることは不可能である。つまり例えば接続レバー４６は、その小幅側６９がプラットホーム４９の下面５１に当接することによりロックする。同様にレバー１５，２５も、図１では右側に向かって分岐レバー４０の方向にしか変位することができない。
【００４７】
トグルレバーシステム１０，１１の幾何学形状は、迅速な閉鎖運動に合わせて設計されている。図２６には、トグルレバーシステム１１において、レバー７６の第１の回転軸７５と第２の回転軸７７との間の間隔ａと、この回転軸７７とトグルレバー７９の第３の回転軸７８との間の間隔ａとは、同じ大きさである、ということが示されている。
【００４８】
さらに、第２の回転軸７７と、トグルレバー７９の分岐脚部８１を接続レバー（図２６には図示せず）に結合する第４の回転軸８０とは、第３の回転軸７８を中心とした円軌道ｒ上に位置している。
【００４９】
さらに、３つの回転軸７５，７７，７８は、型５，７が閉じられた場合には、１つの線ｂ上に位置している。
【００５０】
様々な大きさのワークおよび型５，７に合わせるために、支持部３８，８５は高さ調節可能である（図２３，２４参照）。シリンダ８についても高さ調節が可能である、ということが考えられていてよいが、シリンダ８の行程が十分に大きな場合には、このような高さ調節の可能性は必須ではない。
【００５１】
支持部３８，８５の高さ調節を可能にするために、支持部３８，８５は、好適には台形ねじ山を備えて高さ調節可能に上部帯材４に保持された、ねじ山付きスピンドル８６，８７の自由端部に配置されている。
【００５２】
ねじ山付きスピンドル８６，８７は、図２５では上部帯材４を囲んでいる図示の２つのスピンドルナット８８，８９内を案内されている。ねじ山付きスピンドル８６の高さ調節は、２つのモータ９０，９１、例えば極めて正確に調節可能なステップモータにより行われる。
【００５３】
この実施例では４つのねじ山付きスピンドル８６，８７の同時調節に基づき、液圧式クッション１４は、図２３に示す下位から図２４に示す上位へ移動可能であり、この場合、上位においてねじ山付きスピンドル８６，８７は、上部帯材４から上方に向かって突出している。
【００５４】
図２５にはさらに、液圧式クッション１４の閉鎖に際して変形加工方法終了時に生じる力が、伸ばされたトグルレバーシステム１０，１１において下側のスピンドルナット８９だけを介して上部帯材４に導入される、ということが示されている。シリンダ８に荷重がかけられることはない。
【００５５】
図１５には、ワーク９５の上方で十分に縮められたトグルレバー１０，１１を備えるプレス機械１が示されている。よって液圧式クッション１４は、ワーク９５の上方の最上位に位置している。
【００５６】
液圧式クッション１４は、内部にインナボックス９７が案内されているアウタボックス９６を有している（図１９〜図２２も参照）。案内に関しては図２０に、アウタボックス９６のここでは傾斜した内側角隅部９８と、インナボックス９７の傾斜した外側角隅部９９とが示されている。
【００５７】
択一的または付加的に、別の案内条片および溝が設けられていてもよい。
【００５８】
液圧式クッション１４のこの実施例では６つのシリンダ１００が示されていて、アウタボックス９６の蓋１０１とインナボックス９７の底部１０２との間に配置されている。
【００５９】
変形加工過程の開始時には、シリンダ１００は図１５に示すように延伸させられている。よって上型５は、その最上位には位置していない。
【００６０】
ピストン９が降下し、これに伴ってトグルレバーシステム１０，１１が伸びるにつれ、図１６に示すように変形加工過程の間は上型５がワーク９５にぶつかることになる。
【００６１】
図１７に示す、トグルレバーシステム１０，１１が液圧式クッション１４を上部帯材４に対して直線的に支持する位置へ、トグルレバーシステム１０，１１がさらに伸びるにつれて、インナボックス９７はアウタボックス９６内へ引っ込められる。ピストン１００に圧力が供給されることにより、インナボックス９７が図１８に示すように再び延伸させられ、変形加工過程が終了する。
【符号の説明】
【００６２】
１  プレス機械
２  スタンド
３  スタンド
４  上部帯材
５  上型
６  パンチ
７  下型
８  シリンダ
９  ピストン
１０  トグルレバーシステム
１１  トグルレバーシステム
１４  液圧式クッション
１５  レバー
１６  端部
１７  回転軸
１８  舌片
１９  舌片
２０  孔
２１  孔
２２  ピン
２３  端部
２５  トグルレバー
２６  孔
２７  舌片
２８  舌片
２９  脚部
３０  孔
３１  孔
３２  ピン
３４  端部
３５  回転軸
３６  ピン
３７  孔
３８  支持部
３９  回転軸
４０  脚部
４１  舌片
４２  舌片
４３  孔
４４  孔
４５  ピン
４６  接続レバー
４７  回転軸
４８  ウェブ
４９  プラットホーム
５０  回転軸
５１  下面
５２  ウェブ
５５  端面
５６  端面
５７  平面
５８  平面
５９  丸み部
６０  丸み部
６１  端面
６２  溝底部
６３  丸み部
６４  端面
６５  端面
６６  面
６７  丸み部
６８  丸み部
６９  小幅側
７５  回転軸
７６  レバー
７７  回転軸
７８  回転軸
７９  トグルレバー
８０  回転軸
８１  脚部
８５  支持部
８６  ねじ山付きスピンドル
８７  ねじ山付きスピンドル
８８  スピンドルナット
８９  スピンドルナット
９０  モータ
９１  モータ
９５  ワーク
９６  アウタボックス
９７  インナボックス
９８  内側角隅部
９９  外側角隅部
１００  シリンダ
１０１  蓋
１０２  底部
【図１】
0006676652.tif 000002
【図２】
0006676652.tif 000003
【図３】
0006676652.tif 000004
【図４】
0006676652.tif 000005
【図５】
0006676652.tif 000006
【図６】
0006676652.tif 000007
【図７】
0006676652.tif 000008
【図８】
0006676652.tif 000009
【図９】
0006676652.tif 000010
【図１０】
0006676652.tif 000011
【図１１】
0006676652.tif 000012
【図１２】
0006676652.tif 000013
【図１３】
0006676652.tif 000014
【図１４】
0006676652.tif 000015
【図１５】
0006676652.tif 000016
【図１６】
0006676652.tif 000017
【図１７】
0006676652.tif 000018
【図１８】
0006676652.tif 000019
【図１９】
0006676652.tif 000020
【図２０】
0006676652.tif 000021
【図２１】
0006676652.tif 000022
【図２２】
0006676652.tif 000023
【図２３】
0006676652.tif 000024
【図２４】
0006676652.tif 000025
【図２５】
0006676652.tif 000026
【図２６】
0006676652.tif 000027